(57)【要約】【課題】光学機器の内部にゴミなどの異物の進入を防止することができる信頼性の高い視度調整機構、および視度調整機構を備える光学機器を提供すること。【解決手段】本発明の視度調整機構は、視度調整ダイヤルの操作に応じて一体的に回動する軸体と、軸体の回動によりレンズを光軸方向に移動させる駆動部と、軸体の両端近傍において、軸体を回転可能に保持する軸受部と、軸体における軸受部の間に配設され、軸体の周りの空間において、視度調整ダイヤルの配設空間に続く第１の空間と、レンズの配設空間に続く第２の空間との間を閉鎖するように設けられた防塵部とを備え、防塵部が軸体の外周面に対して円周方向に回動可能であり、軸方向に摺動可能に設けられている。【選択図】図３
2020086098.tif 000002
【特許請求の範囲】
【請求項１】
光学機器に設けられる視度調整機構であって、
ファインダーに設けられたレンズに対する視度調整を行うために操作される視度調整ダイヤルを有し、前記視度調整ダイヤルの操作に応じて一体的に回動する軸体、
前記軸体の回動により前記レンズを光軸方向に移動させる駆動部、
前記軸体の両端近傍において、前記軸体を回転可能に保持する軸受部、および
前記軸体における前記軸受部の間に配設され、前記軸体の周りの空間において、前記視度調整ダイヤルの配設空間に続く第１の空間と、前記レンズの配設空間に続く第２の空間との間を閉鎖するように設けられ、前記軸体の外周面に対して円周方向に回動可能であり、前記軸体の軸方向に摺動可能に設けられた防塵部、
を備えた視度調整機構。
【請求項２】
前記防塵部は、前記軸体に貫通され、前記軸体の外周面に対して軸方向に摺動可能に設けられた防塵リングと、前記軸体の外周面に対して円周方向に回動可能であり、前記軸体の軸方向における前記防塵リングの位置を特定するリングストッパと、を含み、前記リングストッパが前記軸受部を設けた部材と一体的に構成された部材に接合されて、前記防塵リングが前記軸体の周りを遊動可能に保持された、請求項１に記載の視度調整機構。
【請求項３】
前記軸受部の１つが前記視度調整ダイヤルの外周面を保持するように構成された、請求項１または２に記載の視度調整機構。
【請求項４】
前記視度調整ダイヤルが軸方向に押圧される毎に、前記視度調整ダイヤルが光学機器の本体に対して収納状態と突出状態とを繰り返すよう構成された、請求項１から３のいずれか一項に記載の視度調整機構。
【請求項５】
前記視度調整ダイヤルの収納状態において、前記軸体の回転を禁止するストッパが設けられた、請求項４に記載の視度調整機構。
【請求項６】
前記視度調整ダイヤルの収納状態から突出状態への移行において、前記ストッパが前記軸体に設けられた係合部から外れるよう構成された、請求項５に記載の視度調整機構。
【請求項７】
前記軸体に形成された凹凸に押し付けられるクリックボールが設けられて、前記視度調整ダイヤルの回動に応じてクリック音が発生するよう構成された、請求項１から６のいずれか一項に記載の視度調整機構。
【請求項８】
請求項１から７のいずれか一項に記載の視度調整機構を備える光学機器。
【発明の詳細な説明】
【技術分野】
【０００１】
本発明は、使用者の視力に合わせて度数を調節するための視度調整機構および視度調整機構を備えた光学機器に関する。
【背景技術】
【０００２】
光学機器においては、使用者の視力に合わせて度数を調節できるように視度調整機構が設けられたものがある。視度調整機構は、光学機器における接眼部分の近傍に設けられており、使用者がファインダーを覗きながら視度を調整できるように構成されている。
【０００３】
光学機器において、特にカメラなどの小型の光学機器においては、構成部品の配設スペースが限定されているため、視度調整機構としては小型化が必要であり、占有スペースが小さく、組立てが容易な各種の構成が提案されている（特許文献１−３参照。）。
【先行技術文献】
【特許文献】
【０００４】
【特許文献１】特開２００２−１９６４０６号公報
【特許文献２】特開２０１３−１３０７４５号公報
【特許文献３】特開２０１６−２９４４１号公報
【発明の概要】
【発明が解決しようとする課題】
【０００５】
光学機器における視度調整機構は、ファインダーの内部に設けられたレンズを光軸方向に駆動する駆動機構を有しており、ファインダーの近傍に設けられた視度調整ダイヤルの回動操作により視度を調整する構成である。
【０００６】
視度調整機構は、ファインダーの近傍に設けられた視度調整ダイヤルを回動させて、ファインダー内部のレンズを駆動する構成であるため、光学機器に視度調整ダイヤルを設けることにより、光学機器の本体ケースとの間に生じる隙間を通してファインダー内部にゴミなどの異物が進入する可能性がある。光学機器内部への異物（塵、芥）の進入防止は、光学機器における達成すべき重要な課題である。
【０００７】
また、光学機器においては、特に高級機種においては、外観形状、操作容易性、および操作感は、機器購入者にとって重要な比較要素である。例えば、光学機器における視度調整機構においては、光学機器内部への異物の進入が防止される構成を有すると共に、操作ダイヤルが取り扱いの容易な位置に外観形状に違和感を与えることなく設けられ、操作ダイヤルがぐらつくことなく安定して滑らかに回動でき、視度調整を高精度に行うことができる構成であれば、高品位で信頼性の高い優れた光学機器であるとして、機器購入者には好印象を与えるものとなる。
【０００８】
本発明は、光学機器の内部に異物の進入を防止することができる信頼性の高い視度調整機構、およびその視度調整機構を備える光学機器の提供を主の目的とするものである。なお、補助的な目的としては、光学機器における外観、操作容易性、および操作感において使用者に高品位の印象を与える視度調整機構、およびその視度調整機構を備える光学機器の提供である。
【課題を解決するための手段】
【０００９】
本発明に係る一態様の視度調整機構は、
光学機器に設けられる視度調整機構であって、
ファインダーに設けられたレンズに対する視度調整を行うために操作される視度調整ダイヤルを有し、前記視度調整ダイヤルの操作に応じて一体的に回動する軸体と、
前記軸体の回動により前記レンズを光軸方向に移動させる駆動部と、
前記軸体の両端近傍において、前記軸体を回転可能に保持する軸受部と、
前記軸体における前記軸受部の間に配設され、前記軸体の周りの空間において、前記視度調整ダイヤルの配設空間に続く第１の空間と、前記レンズの配設空間に続く第２の空間との間を閉鎖するように設けられ、前記軸体の外周面に対して円周方向に回動可能であり、前記軸体の軸方向に摺動可能に設けられた防塵部と、を備えている。
【００１０】
本発明に係る一態様の光学機器は、
ファインダーに設けられたレンズに対する視度調整を行うために操作される視度調整ダイヤルを有し、前記視度調整ダイヤルの操作に応じて一体的に回動する軸体と、
前記軸体の回動により前記レンズを光軸方向に移動させる駆動部と、
前記軸体の両端近傍において、前記軸体を回転可能に保持する軸受部と、
前記軸体における前記軸受部の間に配設され、前記軸体の周りの空間において、前記視度調整ダイヤルの配設空間に続く第１の空間と、前記レンズの配設空間に続く第２の空間との間を閉鎖するように設けられ、前記軸体の外周面に対して円周方向に回動可能であり、前記軸体の軸方向に摺動可能に設けられた防塵部と、を有する視度調整機構を備えている。
【発明の効果】
【００１１】
本発明によれば、ゴミなどの異物の光学機器内部への進入を防止することができる信頼性の高い視度調整機構、およびその視度調整機構を備える光学機器を提供することができる。
【図面の簡単な説明】
【００１２】
【図１】本発明に係る実施の形態１のカメラの背面側を主として示す斜視図
【図２】実施の形態１のカメラにおけるファインダーユニットを示す斜視図
【図３】実施の形態１のカメラにおけるファインダーユニットの分解斜視図
【図４】実施の形態１のカメラにおいて、視度調整ダイヤルの突出状態を示す斜視図
【図５】実施の形態１のカメラにおけるファインダーユニットの横断面図
【図６】実施の形態１のカメラにおける視度調整機構の縦断面図
【図７】実施の形態１のカメラにおけるギヤシャフトの後側部分に設けられた防塵部を示す分解斜視図
【図８】実施の形態１のカメラにおけるギヤシャフトの後側部分の周りに設けられた防塵部を示す断面図
【図９】実施の形態１のカメラにおける視度調整ダイヤルの縦断面図
【図１０】実施の形態１のカメラにおける視度調整機構のノック式機構における係合状態を示す図
【図１１】実施の形態１のカメラにおけるカム溝とロックピンとの係合時の位置関係を模式的に示す図
【図１２】実施の形態１のカメラにおける第１ギヤとギヤストッパとの配置関係を拡大して模式的に示した図
【発明を実施するための形態】
【００１３】
以下、本発明の視度調整機構を備える光学機器に係る実施の形態として、カメラについて、添付の図面を参照しながら説明する。なお、本発明の光学機器は、以下の実施の形態において説明するカメラの構成に限定されるものではなく、視度調整機構を備える各種の光学機器に適用可能である。
【００１４】
また、以下の実施の形態において示す数値、形状、構成、ステップ、およびステップの順序などは、一例を示すものであり、本発明を限定するものではない。以下の実施の形態における構成要素のうち、最上位概念を示す独立請求項に記載されていない構成要素については、任意の構成要素として説明される。なお、各実施の形態においては、同じ要素には同じ符号を付して、説明を省略する場合がある。また、図面は、理解しやすくするために、それぞれの構成要素を主体に模式的に示している。
【００１５】
先ず始めに、本発明の視度調整機構および光学機器における各種態様を例示する。
本発明に係る第１の態様の視度調整機構は、
光学機器に設けられる視度調整機構であって、
ファインダーに設けられたレンズに対する視度調整を行うために操作される視度調整ダイヤルを有し、前記視度調整ダイヤルの操作に応じて一体的に回動する軸体、
前記軸体の回動により前記レンズを光軸方向に移動させる駆動部、
前記軸体の両端近傍において、前記軸体を回転可能に保持する軸受部、および
前記軸体における前記軸受部の間に配設され、前記軸体の周りの空間において、前記視度調整ダイヤルの配設空間に続く第１の空間と、前記レンズの配設空間に続く第２の空間との間を閉鎖するように設けられ、前記軸体の外周面に対して円周方向に回動可能であり、前記軸体の軸方向に摺動可能に設けられた防塵部、を備えている。
【００１６】
上記のように構成された視度調整機構は、ゴミなどの異物の光学機器内部への進入を防止することができ、信頼性の高い光学機器の部品となる。
【００１７】
本発明に係る第２の態様の視度調整機構は、前記の第１の態様における前記防塵部が、前記軸体に貫通され、前記軸体の外周面に対して軸方向に摺動可能に設けられた防塵リングと、前記軸体の外周面に対して円周方向に回動可能であり、前記軸体の軸方向における前記防塵リングの位置を特定するリングストッパと、を含み、前記リングストッパが前記軸受部を設けた部材と一体的に構成された部材に接合されて、前記防塵リングが前記軸体の周りを遊動可能に保持されてもよい。
【００１８】
本発明に係る第３の態様の視度調整機構は、前記の第１または第２の態様において、前記軸受部の１つが前記視度調整ダイヤルの外周面を保持するように構成されてもよい。
【００１９】
本発明に係る第４の態様の視度調整機構は、前記の第１から第３の態様のいずれかの態様において、前記視度調整ダイヤルが軸方向に押圧される毎に、前記視度調整ダイヤルが光学機器の本体に対して収納状態と突出状態とを繰り返すよう構成されてもよい。
【００２０】
本発明に係る第５の態様の視度調整機構は、前記の第４の態様における前記視度調整ダイヤルの収納状態において、前記軸体の回転を禁止するストッパが設けられてもよい。
【００２１】
本発明に係る第６の態様の視度調整機構は、前記の第５の態様において、前記視度調整ダイヤルの収納状態から突出状態への移行において、前記ストッパが前記軸体に設けられた係合部から外れるよう構成されてもよい。
【００２２】
本発明に係る第７の態様の視度調整機構は、前記の第１から第６の態様のいずれかの態様において、前記軸体に形成された凹凸に押し付けられるクリックボールが設けられて、前記視度調整ダイヤルの回動に応じてクリック音が発生するよう構成されてもよい。
【００２３】
本発明に係る第８の態様の光学機器は、前記の第１の態様から第７の態様のいずれかの態様の視度調整機構を備えている。
【００２４】
（実施の形態１）
以下、本発明の視度調整機構を備える光学機器に係る実施の形態１について、図面を参照しながら説明する。図１は、実施の形態１の光学機器であるカメラの背面側を主として示す斜視図である。
【００２５】
実施の形態１の光学機器であるカメラ１は、デジタル一眼カメラを例示として示す。図１に示すように、カメラ１の背面側には、接眼部分に設けられたアイカップ２、ファインダー３、モニター４、および各種の押しボタンやダイヤルが設けられている。アイカップ２の近傍には、ファインダー３を覗きながら使用者の視力に合わせて視度を調整するための視度調整ダイヤル５が設けられている。
【００２６】
図２は、カメラ１における接眼部分であるアイカップ２を含むファインダーユニット１０を示す斜視図である。ファインダーユニット１０には、視度調整ダイヤル５を備える視度調整機構２０が含まれる。図３は、ファインダーユニット１０の分解斜視図である。図３において、便宜上、互いに直交するＸ軸、Ｙ軸、Ｚ軸を示しており、実施の形態１におけるファインダーユニット１０の光軸方向がＸ軸方向である。また、実施の形態１において、カメラ１における被写体側（レンズ側）を前方とし、接眼側を後方として説明する。図３においては、Ｘ軸の矢印で示す方向が前方である。
【００２７】
ファインダーユニット１０は、アイカップ２の前方にレンズユニット６が配設されており、レンズユニット６のレンズがレンズユニット６を収納するレンズユニットケース７に対して光軸方向（前後方向）に駆動可能に構成されている。レンズユニットケース７はその上部がレンズユニットカバー８により覆われている。ファインダーユニット１０においては、レンズユニットケース７の前端（図３における右上方端部）に小型のディスプレイ９が設けられている。ディスプレイ９は、撮像素子からの出力を映し出して、レンズユニット６を介して使用者がファインダー３にて確認できる構成である。なお、ディスプレイ９にはヒートシンク２８が取り付けられている。
【００２８】
また、ファインダーユニット１０において、レンズユニット６の側方には、視度調整機構２０の駆動機構および操作機構などが設けられており、視度調整ダイヤル５の回動によりレンズユニット６のレンズが光軸方向に駆動されて視度調整が行われる。ファインダーユニット１０には光軸方向に延設された保持シャフト２２が設けられており、保持シャフト２２により案内されるレンズユニット６のレンズがバネ２３により接眼側方向に常に付勢されている。このため、レンズユニット６のレンズは、視度調整ダイヤル５の回動により、ぐらつくことがなく滑らかに光軸方向に駆動される。
【００２９】
実施の形態１における視度調整機構２０は、後述する防塵部３０を有しており、ファインダーユニット１０の内部、特にレンズユニット６やディスプレイ９の配設空間（内部空間）への異物（塵、芥など）の進入を防止できる構成である。
【００３０】
また、実施の形態１における視度調整機構２０は、視度調整が不要の時には、視度調整ダイヤル５を押圧（ノック）して、カメラ１の内部に視度調整ダイヤル５を収納できる構成である。一方、視度調整を行う場合には、カメラ内部に収納されている視度調整ダイヤル５の表出面を押圧（ノック）して、視度調整ダイヤル５をカメラ１から突出させる構成である。視度調整機構２０は、所謂、ノックする毎に収納／突出を繰り返すノック式機構を有する。このように構成された視度調整機構２０においては、視度調整ダイヤル５が収納状態／突出状態のいずれの状態においても、視度調整ダイヤル５が所定位置に高精度に配置されており、ぐらつくことのない信頼性の高い構成となっている。
【００３１】
実施の形態１における視度調整機構２０は、視度調整ダイヤル５がカメラ１から突出しているとき、視度調整ダイヤル５の回動操作が可能となり、視度調整ダイヤル５の回動によりレンズユニット６のレンズが光軸方向に駆動されて、視度調整を行うことができる。一方、視度調整ダイヤル５がカメラ１の内部に収納されているとき、視度調整ダイヤル５の回動が禁止され、視度調整操作が禁止されロック状態となる。なお、図１に示すカメラ１は、視度調整ダイヤル５がカメラ１の内部に収納されたロック状態を示している。図４は、実施の形態１のカメラ１において、視度調整ダイヤル５がカメラ１から突出した視度調整可能状態を示す斜視図である。
【００３２】
［視度調整機構２０の構成］
以下、実施の形態１における視度調整機構２０の具体的な構成について説明する。図３に示したファインダーユニット１０の分解斜視図に示すように、実施の形態１における視度調整機構２０は、視度調整ダイヤル５の回動操作によりレンズユニット６のレンズを光軸方向に駆動する構成を有している。視度調整機構２０は、レンズユニット６の側方に設けられており、レンズユニットケース７の側方に設けられた視度調整ケース１２の内部に配設されている。なお、実施の形態１においては、レンズユニットケース７と視度調整ケース１２とギヤケース１９は同一部品であり一体的に構成されているが、それぞれを別部品として構成してもよい。
【００３３】
視度調整機構２０においては、視度調整ダイヤル５が第１ギヤ１７のギヤシャフト３３に軸止されており、視度調整ダイヤル５の回動操作により、第１ギヤ１７に歯合している第２ギヤ１８が回動して、第２ギヤ１８に形成されたカムによりレンズユニット６のレンズが光軸方向に移動する構成である。実施の形態１において、視度調整機構２０におけるレンズ駆動機構となる駆動部としては、ギヤシャフト３３を含む第１ギヤ１７、カムが形成された第２ギヤ１８、およびカムの動作によりレンズユニット６のレンズを光軸方向に駆動する機構が含まれる。視度調整機構２０における駆動部における動力伝達手段としてギヤおよびカムが用いられている。
【００３４】
図５は、視度調整機構２０を含むファインダーユニット１０をファインダー３の光軸に沿って切断した横断面図である。図６は、視度調整機構２０における視度調整ダイヤル５の回転軸に沿って切断した縦断面図である。図５および図６に示すように、視度調整ダイヤル５は第１ギヤ１７のギヤシャフト３３と一体的な軸体２９となるように接合されている。視度調整ダイヤル５と第１ギヤ１７のギヤシャフト３３とで構成される軸体２９は、この軸体２９の突出側端部近傍と、機構内部側端部近傍との２カ所に設けられた軸受部（３１、３２）により、軸体２９の円周方向に回転可能であり、軸方向に摺動可能に保持される。即ち、軸体２９は、その両端部近傍において軸受部（３１、３２）により回転可能および摺動可能に保持されている。なお、本発明においては、軸受部（３１、３２）が設けられる軸体（２９）の端部近傍とは、軸体（２９）の全長に対して端部から約５〜１５％の割合で示される位置とする。本発明における軸受部（３１、３２）は、後述するように軸体（２９）に対して軸方向に摺動可能な構成であるため、軸方向の摺動距離が考慮されて設定される。
【００３５】
［軸受部］
軸体２９の突出側端部近傍を回転可能に保持する第１軸受部３１は、視度調整ダイヤル５の外周面を保持するように設けられている。第１軸受部３１は、視度調整ダイヤル５の外周面を覆うように設けられた視度調整ダイヤルカバー１１（図３参照）の内周面（軸受面）である。視度調整ダイヤル５の側面の外周面には、その全周に渡って突出部５ａが形成されている。突出部５ａの先端部分が、視度調整ダイヤルカバー１１の内周面（軸受面）により回転可能および摺動可能に保持される構成である。したがって、視度調整ダイヤルカバー１１の内周面（軸受面）と視度調整ダイヤル５の突出部５ａの先端部分との間隔は、滑らかに回転可能であり摺動可能な最小隙間に設定されている。視度調整ダイヤルカバー１１の内周面（第１軸受部３１の軸受面）と視度調整ダイヤル５の突出部５ａの先端部分との間の最小隙間としては、例えば、０．０３ｍｍから０．０６ｍｍが好ましい。また、視度調整機構は、視度調整ダイヤル５が収納／突出を繰り返すノック式機構を有しているため、第１軸受部３１の軸受面は視度調整ダイヤル５の突出部５ａが軸方向（前後方向）への摺動区間において確実に保持できるよう構成されている。
【００３６】
なお、実施の形態１においては、視度調整ダイヤル５に突出部５ａ（凸形状部分）を形成した例で説明するが、視度調整ダイヤルカバー１１の内周面に凸形状部分を形成して軸受部分とし、視度調整ダイヤル５の側面の外周面を回転可能および摺動可能に保持する構成としもよい。
【００３７】
一方、軸体２９の機構内部側端部近傍を回転可能に保持する第２軸受部３２は、第１ギヤ１７の前方（機構内部側）に導出するギヤシャフト３３の前側シャフト３３ａを、ギヤケース１９（図３参照）が回転可能に保持するように構成されている。ギヤシャフト３３の前側シャフト３３ａを回転可能に保持する第２軸受部３２は、ギヤケース１９の前端部分に設けられている。第２軸受部３２の内周面（軸受面）と前側シャフト３３ａの外周面との間隔は滑らかに回転可能な最小隙間に設定されている。また、第２軸受部３２の内周面（軸受面）と前側シャフト３３ａの外周面とは、軸方向（前後方向）に滑らかに摺動可能に保持されており、視度調整ダイヤル５の収納／突出時の動きを滑らかなものとしている。なお、第２軸受部３２の内周面（軸受面）と前側シャフト３３ａの外周面との間の最小隙間としては、例えば、０．０１ｍｍから０．０４ｍｍが好ましい。
【００３８】
上記のように、実施の形態１において、視度調整ダイヤル５とギヤシャフト３３が一体的に形成された軸体２９は、２つの軸受部（３１、３２）により、軸体２９の両端近傍において最小隙間を有して、滑らかに回動可能および摺動可能で確実に保持されている。この結果、実施の形態１の構成においては、カメラ１の外観に表出する視度調整ダイヤル５におけるがぐらつきが防止され、視度調整ダイヤル５の滑らかな回動が確保されている。
【００３９】
［防塵部３０］
実施の形態１における視度調整機構２０には、視度調整ダイヤル５と視度調整ダイヤルカバー１１などと間の僅かな隙間を通して、レンズユニット６やディスプレイ９の配設空間（内部空間）へ異物（塵、芥など）の進入を防止するために、防塵部３０が設けられている。防塵部３０は、第１ギヤ１７の後方（接眼側）に導出するギヤシャフト３３の後側シャフト３３ｂに設けられており、視度調整ダイヤル５の前方に配設されている。即ち、防塵部３０は、軸体２９において、第１軸受部３１と第２軸受部３２との間に配設されている。
【００４０】
図７は、ギヤシャフト３３の後側シャフト３３ｂに設けられた防塵部３０を示す分解斜視図である。図８は、後側シャフト３３ｂの周りに設けられた防塵部３０を示す断面図である。図７および図８に示すように、防塵部３０は後側シャフト３３ｂにより貫通されて配設されるリング形状を有している。防塵部３０は、後側シャフト３３ｂ（軸体２９）により貫通される防塵リング１５を含む。防塵リング１５の内周面と後側シャフト３３ｂの外周面との間は、防塵リング１５が後側シャフト３３ｂを軸方向（前後方向）に滑らかに摺動できる程度の僅かな最小隙間を有している。なお、防塵リング１５の内周面と後側シャフト３３ｂの外周面とは、滑らかに摺動するように研磨加工されている。防塵リング１５の内周面と後側シャフト３３ｂの外周面との間の最小隙間としては、例えば、０．０１ｍｍから０．０３ｍｍが好ましい。
【００４１】
防塵部３０には、軸体２９の軸方向における防塵リング１５の位置を特定するためのリングストッパ１３が含まれる。リングストッパ１３は、接合手段、例えば両面テープ（接着材）１４によりリング保持プレート１６に固定され、リング保持プレート１６はギヤケース１９に固定されている。したがって、防塵リング１５は、軸体２９（ギヤシャフト３３）が軸方向（前後方向）に移動しているとき、リングストッパ１３とリング保持プレート１６との間の空間において遊動可能に保持されているため、後側シャフト３３ｂの外周面上を摺動する。このように、防塵リング１５は、後側シャフト３３ｂの外周面上を摺動するが、リングストッパ１３が設けられているため、ギヤケース１９に対しては軸体２９の軸方向における所定の位置に保持される。
【００４２】
上記のように、防塵部３０は、軸体２９に貫通され、軸体２９の外周面に対して軸方向に摺動可能に設けられた防塵リング１５と、軸体２９の外周面に対して円周方向に回動可能であり、防塵リング１５の位置を特定するリングストッパ１３と、を有している。また、リングストッパ１３は、第２軸受部３２を設けたギヤケース１９と一体的に構成されたリング保持プレート１６に両面テープ１４（接合手段）により接合されて、防塵リング１５が軸体２９の外周面上を遊動可能に保持されている。
【００４３】
図５の横断面図に示すように、ファインダー３の近くに設けられた視度調整ダイヤル５の周りの隙間を通して、異物が侵入するおそれがある。実施の形態１における視度調整機構２０においては、もし視度調整ダイヤル５の周りの隙間を通して異物が進入して、視度調整ダイヤル５の配設空間に続く第１の空間Ａ（図５参照）に異物が進入したとしても、後側シャフト３３ｂには防塵部３０が設けられているため、レンズユニット６やディスプレイ９の配設空間に続く第２の空間Ｂ（図５参照）への異物の進入が防止されている。このように、防塵部３０は、軸体２９における第１軸受部３１と第２軸受部３２との間に配設され、軸体２９の周りの空間において、視度調整ダイヤルの配設空間に続く第１の空間Ａと、レンズユニット６の配設空間に続く第２の空間Ｂとの間を閉鎖するように設けられており、第２の空間Ｂへの異物の進入が防止されている。図５に示すように、防塵部３０により閉鎖された第２の空間Ｂは、レンズユニット６やディスプレイ９の配設空間に近接した位置であり、遮蔽物のない連続した空間である。このため、もし視度調整機構に防塵部３０が設けられていない構成の場合には、視度調整ダイヤルの隙間を通して進入した異物がレンズユニットやディスプレイの配設空間に直接的に進入してしまい、重大な欠陥となる。
【００４４】
上記のように、実施の形態１における視度調整機構２０においては、防塵部３０が軸体２９における軸受部（３１、３２）の間に配設されており、軸体２９の周りの空間において、視度調整ダイヤル５の配設空間に続く第１の空間（Ａ）と、レンズの配設空間に続く第２の空間Ｂとの間を閉鎖するよう構成されている。また、防塵部３０は、軸体２９の外周面に対して円周方向に回動可能であり、軸体２９の軸方向に摺動可能に設けられている。即ち、実施の形態１の構成においては、ギヤシャフト３３の後側シャフト３３ｂの周りに防塵部３０が設けられているため、もし視度調整ダイヤル５の周りの隙間を通して異物が進入したとしても、防塵部３０によりレンズユニット６やディスプレイ９の配設空間（第２の空間Ｂ）への異物の進入を防止することが可能な構成となる。
【００４５】
防塵部３０においては、防塵リング１５が後側シャフト３３ｂの周りでリングストッパ１３とリング保持プレート１６とにより遊動可能に保持されている。このため、ギヤシャフト３３を含む軸体２９は、その配設位置が防塵リング１５により拘束されることなく、その両端部分で軸受部（３１、３２）により、僅かの最小隙間で確実に回転可能に保持することが可能となる。また、視度調整機構２０の製造段階においては、軸体２９が第２軸受部３２と防塵部３０とにより仮に保持されたユニット状態を第１軸受部３１に保持させるように組み付けるとき、ユニット状態における取付けのバラツキを防塵部３０において吸収することが可能となる。この結果、実施の形態１における視度調整機構２０の構成は、カメラ１などの光学機器の最外郭部品に軸受部を設けることが可能となり、光学機器における外観ケースに対する位置を高精度に保持することが可能となる。従って、実施の形態１における視度調整機構２０は、光学機器において容易に高精度に配設することが可能となり、信頼性の高い光学機器を提供することができる。
【００４６】
なお、防塵部３０の防塵リング１５は、リング形状（環形状）を有しているが、リング形状とは円形に特定されるものではなく、軸体の外周面の形状に応じて軸体の外周面を摺動可能な形状であればよい。また、防塵部３０におけるリングストッパ１３は、防塵リング１５を軸体２９の外周面上を遊動可能に保持し、防塵リング１５と共にレンズユニット６やディスプレイ９の配設空間（第２の空間Ｂ）への異物の進入を防止する構成であればよい。
【００４７】
［ノック式機構］
実施の形態１における視度調整機構２０においては、視度調整ダイヤル５が収納／突出を繰り返すノック式機構を有している。
【００４８】
図９の（ａ）および（ｂ）は視度調整ダイヤル５の回転軸に沿って切断した縦断面図である。図９の（ａ）は視度調整ダイヤル５が突出した状態を示す図であり、図９の（ｂ）は視度調整ダイヤル５が収納された状態を示す図である。視度調整機構２０のノック式機構は、視度調整ダイヤル５を押圧（ノック）する毎に図９の（ａ）に示す突出状態と図９の（ｂ）に示す収納状態とを繰り返す構成である。
【００４９】
図１０は、視度調整機構２０のノック式機構におけるロック部材２６のカム溝３４およびロックピン２５との係合状態を示す図である。図１０の（ａ）は視度調整ダイヤル５の突出状態を示し、図１０の（ｂ）は視度調整ダイヤル５の収納状態を示す。
【００５０】
前述のように、視度調整ダイヤル５とギヤシャフト３３が一体的に形成された軸体２９は、その両端近傍において２つの軸受部（３１、３２）により円周方向に回動可能であり、軸方向（前後方向）に摺動可能に保持されている。軸体２９は、その機構内部側端部においてロック部材２６（図３、５、６、９参照）に接合されており、軸体２９とロック部材２６は共に前後方向に移動する構成である。また、軸体２９とロック部材２６は、弾性部材、例えばバネ３５（図３参照）により、常に接眼側方向（後方）に付勢されている。
【００５１】
一方、ロック部材２６に形成されているカム溝３４と係合するロックピン２５は、ロックプレート２４（図３参照）を介して第２軸受部３２が設けられているギヤケース１９に接合され固定されている。従って、使用者が視度調整ダイヤル５を押圧（ノック）することにより、視度調整ダイヤル５と一体化された軸体２９と共にロック部材２６が移動する。この結果、ロック部材２６に形成されたカム溝３４に沿ってロックピン２５の係合部２５ａが相対的に移動することになる。
【００５２】
図１１は、カム溝３４とロックピン２５の係合部２５ａとの係合時の位置関係を模式的に示す図である。図１１において、ロックピン２５の係合部２５ａが符号Ｐの位置にあるとき、視度調整ダイヤル５の突出状態である。また、ロックピン２５の係合部２５ａが符号Ｑの位置にあるとき、視度調整ダイヤル５の収納状態である。
【００５３】
ロックピン２５の係合部２５ａが符号Ｐの位置（突出状態）である場合において、視度調整ダイヤル５を押圧（ノック）することにより、ロック部材２６（カム溝３４）が移動する。結果として、相対的にロックピン２５の係合部２５ａがカム溝３４に沿って矢印Ｒで示す経路を移動して符号Ｑで示す位置（収納状態）に到達する。また、ロックピン２５の係合部２５ａが符号Ｑの位置（収納状態）である場合においては、視度調整ダイヤル５を押圧（ノック）することにより、ロック部材２６（カム溝３４）が移動し、相対的にロックピン２５の係合部２５ａがカム溝３４に沿って矢印Ｓで示す経路を移動する。結果として、ロックピン２５の係合部２５ａがカム溝３４における符号Ｐで示す位置（突出状態）に到達する。
【００５４】
上記のように、実施の形態１における視度調整機構２０においては、視度調整ダイヤル５を押圧（ノック）する毎に視度調整ダイヤル５が突出状態と収納状態とを繰り返す構成を有している。実施の形態１における視度調整機構２０は、ノック式機構を有しているため、ファインダー３の近傍に設けた視度調整機構２０の調整操作を容易に、且つ確実に操作することができる。また、視度調整が不要のときには、視度調整ダイヤル５を収納することにより、カメラ操作において使用者が視度調整ダイヤル５に不用意に接触することが防止される構成であると共に、機器外観をシンプルにすっきりさせることが可能となる。
【００５５】
［ギヤストッパ機構およびクリック機構］
実施の形態１における視度調整機構２０は、視度調整ダイヤル５が収納された状態においては、視度調整操作を禁止するためのギヤストッパ機構が設けられている。
【００５６】
図９の（ａ）に示した視度調整ダイヤル５の突出状態において、軸体２９に設けられた第１ギヤ１７の前側シャフト３３ａの直下にはギヤストッパ２７が配設されている。ギヤストッパ２７は、ギヤケース１９に固定されており、２つの軸受部（３１、３２）と共に移動しない構成である。ギヤストッパ２７の先端は、第１ギヤ１７の歯形状に対応する形状を有しており、第１ギヤ１７の歯を係止可能に形成されている。図９の（ｂ）に示した視度調整ダイヤル５の収納状態においては、ギヤストッパ２７の先端が第１ギヤ１７の歯を係止しており、第１ギヤ１７の回動が禁止されている。
【００５７】
図１２は、第１ギヤ１７とギヤストッパ２７との配置関係を拡大して模式的に示した図である。図１２において、（ａ）は視度調整ダイヤル５が突出状態のときを示し、（ｂ）は視度調整ダイヤル５が収納状態のときを示している。図１２の（ｂ）に示すように、視度調整ダイヤル５が収納状態においては、ギヤストッパ２７の先端が第１ギヤ１７の歯と確実に係止しており、第１ギヤ１７の回動が禁止されている。
【００５８】
なお、実施の形態１においては、上記のようにギヤ部分において軸体２９の回転を禁止するギヤストッパ機構を設けた構成であるが、本発明はこのような構成に限定されず、例えば、軸体２９に別形状の係合部を形成し、視度調整ダイヤル５が収納状態のとき、係合部がストッパと係合して、軸体２９の回転を禁止する構成とすることも可能である。
【００５９】
上記のように視度調整機構２０にはギヤストッパ機構（２７）が設けられているため、視度調整ダイヤル５の収納状態においては、視度調整ダイヤル５を含む軸体２９の回動が禁止され、視度調整が確実に禁止されている。このように、視度調整機構２０が設けられた光学機器においては、使用者が不用意に視度調整することを確実に防止できる構成である。
【００６０】
更に、実施の形態１における視度調整機構２０には、クリック機構が設けられている。クリック機構は、視度調整の操作時において視度調整ダイヤル５を回動させることにより、その回動に応じてクリック音を連続的に発生させる構成である。クリック機構は、第１ギヤ１７の歯に当接しているクリックボール２１と、このクリックボール２１を第１ギヤ１７の歯に対して所望の圧力で付勢するバネ３６と、を有している（図９参照）。このように、視度調整機構２０にクリック機構が設けられているため、視度調整ダイヤル５の回動に応じてクリックボール２１が第１ギヤ１７の歯に当接して、クリック音を連続的に生じる。このように視度調整機構２０にクリック機構が設けられているため、使用者（操作者）は視度調整時の操作感を得ることができると共に、視度調整ダイヤル５を任意の回転位置で止められるように補助することができる。
【００６１】
なお、実施の形態１においては、上記のようにギヤ部分においてクリック音を連続的に発生させるクリック機構を設けた構成であるが、本発明はこのような構成に限定されず、例えば、軸体２９に別形状の凹凸を設けてクリック機構を構成することも可能である。
【００６２】
実施の形態１における視度調整機構２０は、視度調整ダイヤル５を含む軸体２９がその両端近傍において軸受部（３１、３２）により、回動可能に保持される構成であると共に、軸方向（前後方向）に摺動可能に保持される構成である。このため、軸体２９は、所定位置に確実に配置されて、ぐらつくことがなく、確実に保持され、滑らかに信頼性高く回動および摺動を行うことができる。
【００６３】
更に、実施の形態１における視度調整機構２０は、視度調整ダイヤル５を設けることにより生じる隙間を通して軸体２９の軸受部分からの異物の進入を防止すべく、防塵部３０が軸体２９を取り囲むように設けられている。実施の形態１における視度調整機構２０の軸体２９は回動と共に摺動する構成であるため、軸体２９を取り囲むように設けられた防塵部３０においても軸体２９の外周面上を摺動できる構成を有している。防塵部３０は、軸体２９に貫通されて可動する防塵リング１５と、防塵リング１５の位置を規制するリングストッパ１３とを含む。このように軸体２９の周りに防塵部３０を設けることにより、実施の形態１における視度調整機構２０は、軸体２９の周りの空間において、視度調整ダイヤル５の配設空間に続く第１の空間Ａと、レンズユニット６やディスプレイ９などの配設空間に続く第２の空間Ｂとの間を確実に閉鎖する構成を有する。この結果、視度調整機構２０においては、第１の空間Ａから第２の空間Ｂへの異物の進入を防止することが可能となる。
【００６４】
なお、実施の形態１のカメラにおける視度調整機構２０を含むファインダーユニット１０はユニット化されており、ファインダーユニット１０のみで各種光学機器に適用することが可能である。このようにファインダーユニット１０を適用した光学機器は、実施の形態１のカメラと同様の効果を奏する優れた構成となる。
【００６５】
また、ファインダーユニット１０を構成する視度調整機構２０においても、ユニット化することが可能であり、各種光学機器に適用することができる。ユニット化された視度調整機構は、軸体の両端近傍に軸受部（３１、３２）が形成され、軸体上を可動する防塵リング（１５）を有する防塵部（３０）が設けられ、視度調整ダイヤルが収納／突出を繰り返すノック式機構を有し、および／または不用意に視度調整ができないように視度調整を禁止するギヤストッパ機構などの少なくともいずれかの構成を備えている。
【００６６】
なお、上記のように構成された視度調整機構の製造段階においては、例えばカメラなどの光学機器の外観ケースに視度調整機構を取り付ける前段階においては、軸体（２９）の前側シャフト（３３ａ）が軸受部（３２）に保持され、軸体（２９）の後側シャフト（３３ｂ）が防塵部（３０）に仮に保持されて、ギヤケース（１９）の内部に収納されたユニット化された構造となる。このように、ギヤケース（１９）の内部に軸体（２９）が保持されたユニット化された構造とすることにより、取付け部品の位置のバラツキを防塵部（３０）において吸収することが可能となり、光学機器の最外郭部品に軸受部を設けることが可能となる。従って、このようにユニット化された視度調整機を光学機器に用いることにより、光学機器における外観ケースに対する視度調整機構の位置を高精度に構成することが可能となる。また、視度調整機構を光学機器の外観ケースなどに組み付ける際の作業性が改善され、組み付け作業を容易なものとする。
【００６７】
上記のように、実施の形態１において具体的に説明したように、本発明の視度調整機構および視度調整機構を備えた光学機器は、光学機器の内部に対する異物の進入を防止することが可能となり、外観、操作容易性、および操作感において使用者に高品位の印象を与える信頼性の高いものとなる。本発明の視度調整機構においては、光学機器の外観に表出する視度調整ダイヤルにおけるがぐらつきが防止されており、視度調整ダイヤルの滑らかな回動が確保されている。本発明の視度調整機構は、防塵部が設けられているため、もし視度調整ダイヤルの周りの隙間を通して異物が進入したとしても、レンズユニットなどの配設空間（第２の空間Ｂ）への異物の進入を防止することが可能な構成となり、光学機器としての信頼性を高めるものとなる。
【産業上の利用可能性】
【００６８】
本発明は、信頼性の高い視度調整機構を提供することができるため、各種光学機器における信頼性を高めことが可能となり、高い市場価値を有するものである。
【符号の説明】
【００６９】
１  カメラ
２  アイカップ
３  ファインダー
４  モニター
５  視度調整ダイヤル
６  レンズユニット
７  レンズユニットケース
８  レンズユニットカバー
９  ディスプレイ
１０  ファインダーユニット
１１  視度調整ダイヤルカバー
１２  視度調整ケース
１３  リングストッパ
１４  両面テープ（接着材）
１５  防塵リング
１６  リング保持プレート
１７  第１ギヤ
１８  第２ギヤ
１９  ギヤケース
２０  視度調整機構
２１  クリックボール
２２  保持シャフト
２５  ロックピン
２６  ロック部材
２７  ギヤストッパ
２９  軸体
３０  防塵部
３１  第１軸受部（軸受部）
３２  第２軸受部（軸受部）
３３  ギヤシャフト
３３ａ  前側シャフト
３３ｂ  後側シャフト
３４  カム溝
３５  バネ
３６  バネ
【図１】
2020086098.tif 000003
【図２】
2020086098.tif 000004
【図３】
2020086098.tif 000005
【図４】
2020086098.tif 000006
【図５】
2020086098.tif 000007
【図６】
2020086098.tif 000008
【図７】
2020086098.tif 000009
【図８】
2020086098.tif 000010
【図９】
2020086098.tif 000011
【図１０】
2020086098.tif 000012
【図１１】
2020086098.tif 000013
【図１２】
2020086098.tif 000014